(57)【要約】  本開示は表示技術の分野に関し、表示装置を提供する。表示装置は、指紋認識領域としての第１表示領域と表示領域としての第２表示領域とに分割され、表示装置は、表示装置の所在表面に垂直な方向に積層された表示層と駆動層とを備え、表示層は当該方向に積層配置された第１電極層と第２電極層とを含み、前記駆動層は、複数の駆動手段を含む。第１表示領域において、第１電極層における第１表示領域に対応する部分が当該方向においての投影と、第２電極層における第１表示領域に対応する部分が当該方向においての投影とは、完全には重なっていない及び／又は駆動手段はすべてが駆動回路を含むとは限らない。本開示を利用して、表示層における所定領域の光透過率を向上させる効果を実現することができる。
2020521999.tif 000002
【特許請求の範囲】
【請求項１】
指紋認識領域としての第１表示領域と表示領域としての第２表示領域とに分割される表示装置であって、前記表示装置は、前記表示装置の所在表面に垂直な方向に積層された表示層と駆動層とを備え、前記表示層は前記方向に積層配置された第１電極層と第２電極層とを含み、前記駆動層は、複数の駆動手段を含み、
前記第１表示領域において、前記第１電極層における前記第１表示領域に対応する部分が前記方向においての投影と、前記第２電極層における前記第１表示領域に対応する部分が前記方向においての投影とは、完全には重なっていない及び／又は前記駆動手段は、すべてが駆動回路を含むとは限らない、ことを特徴とする表示装置。
【請求項２】
前記第１表示領域において、前記第１電極層及び前記第２電極層の少なくとも一方は、複数の開口を有する、ことを特徴とする請求項１に記載の表示装置。
【請求項３】
前記第１表示領域において、前記第１電極層及び前記第２電極層は、複数の電極手段を含む、ことを特徴とする請求項２に記載の表示装置。
【請求項４】
前記開口が行として配列され、前記電極手段が行として配列され、前記開口が配列された行と前記電極手段が配列された行とは交互に配列される、ことを特徴とする請求項３に記載の表示装置。
【請求項５】
前記開口が行として配列され、前記電極手段が行として配列され、前記開口が配列された行数は、前記電極手段が配列された行数よりも少ない、ことを特徴とする請求項３に記載の表示装置。
【請求項６】
前記開口と前記電極手段とは交互に配列される、ことを特徴とする請求項３に記載の表示装置。
【請求項７】
前記電極手段が配列された行において、少なくとも２つの前記電極手段は連続配列され、残りの前記電極手段は前記開口と交互に配列される、ことを特徴とする請求項３に記載の表示装置。
【請求項８】
前記方向において、前記第１電極層の少なくとも１つの電極手段の投影は、前記第２電極層の対応する数の電極手段の投影と重なっている、ことを特徴とする請求項３−７のいずれか一つに記載の表示装置。
【請求項９】
前記表示層は、前記第１電極層と前記第２電極層との間に配置された有機発光層をさらに備える、ことを特徴とする請求項１に記載の表示装置。
【発明の詳細な説明】
【技術分野】
【０００１】
本開示は、表示技術の分野に関し、特に表示装置に関するものである。
【背景技術】
【０００２】
有機発光ダイオード（Ｏｒｇａｎｉｃ  Ｌｉｇｈｔ  Ｅｍｉｔｔｉｎｇ  Ｄｉｏｄｅ、略称はＯＬＥＤであり）装置は、自発光、低駆動電圧、高発光効率、短い応答時間、高明瞭度と高いコントラスト、広視野角及びフレキシブル表示と大面積フルカラー表示を実現できる多くの利点を有し、最も有望な表示技術として業界で認められている。
【０００３】
アクティブマトリクス式ＯＬＥＤ（英語名はＡｃｔｉｖｅ  Ｍａｔｒｉｘ  ＯＬＥＤ、略称はＡＭＯＬＥＤであり）は、ＯＬＥＤの輝度および階調表現を制御するように、薄膜トランジスタとコンデンサとの組合せを利用して信号を保存する。各単独のＯＬＥＤは、対応する薄膜トランジスタに電気接続され、画素マトリクスを形成する。薄膜トランジスタによって形成されたアレイ回路は、画素の発光状況を決定し、ひいては画像の構成を決定する。ＡＭＯＬＥＤは、大型化、省電力化、高解像度、パネル長寿命などの利点を有し、通常は高明瞭度の大型表示装置として用いられている。
【０００４】
現在、情報産業の発展に伴い、電子製品は既に知的時代に入っている。指紋パターンが一意性を有することによって、電子製品の安全性及び利便性を向上させるため、多くの電子製品には、装置の安全性を強化するように、指紋認識モジュールが配備されている。
【０００５】
しかしながら、従来技術のフルハイビジョン以上の高ＰＰＩ  ＡＭＯＬＥＤスクリーンは、画素密度が高く、且つ画素手段の透明孔の有効面積が小さいため、スクリーン全体の光透過率が不十分であり、ひいては光学スクリーンでの指紋認識感度が低い問題が生じる。
【発明の概要】
【発明が解決しようとする課題】
【０００６】
本開示が解決しようとする技術的課題は、従来技術における表示装置の指紋モジュールの光透過率が低いという欠点を克服することである。
【０００７】
これに鑑み、本開示は、表示装置を提供し、前記表示装置は、指紋認識領域としての第１表示領域と、表示領域としての第２表示領域とに分割され、前記表示装置は、前記表示装置の所在表面に垂直な方向に積層された表示層と駆動層とを備え、前記表示層は、前記方向に積層された第１電極層と第２電極層とを含み、前記駆動層は、複数の駆動手段を含み、
前記第１表示領域において、第１電極層における第１表示領域に対応する部分が当該方向においての投影と、第２電極層における第１表示領域に対応する部分が当該方向においての投影とは、完全には重なっていない及び／又は駆動手段は全てが駆動回路を含むとは限らない。
【０００８】
表示層の所定領域内の表示手段における第１電極層に対応する部分及び／又は第２電極層に対応する部分の電極を部分的に除去することにより、及び／又は所定領域内の一部の駆動手段における駆動回路を省略することにより、表示層の所定領域の光透過率を向上させる効果を実現することができる。
【０００９】
好ましくは、前記第１表示領域において、前記第１電極層及び前記第２電極層の少なくとも１つは、複数の開口を有する。
【００１０】
好ましくは、前記第１表示領域において、前記第１電極層及び前記第２電極層は、複数の電極手段を含む。
【００１１】
好ましくは、前記開口が行として配列され、前記電極手段が行として配列され、前記開口が配列された行と前記電極手段が配列された行とが交互に配列される。
【００１２】
表示装置の第１表示領域の第１電極層及び／又は第２電極層を１行おきに除去することにより、第１表示領域が指紋認識領域である場合、指紋認識領域の光透過率を向上する目的が実現され、これにより指紋モジュールの認識率を向上させる。
【００１３】
好ましくは、前記開口が行として配列され、前記電極手段が行として配列され、前記開口が配列された行数は、前記電極手段が配列された行数よりも少ない。
【００１４】
好ましくは、前記開口は前記電極手段と交互に配列される。
【００１５】
表示装置の第１表示領域の第１電極層及び／又は第２電極層を１つの電極手段おきに除去することにより、第１表示領域が指紋認識領域である場合、指紋認識領域の全体の光透過率を向上した；同時に、この表示装置の全体の光透過率は比較的に均一であるため、後続の指紋認識アルゴリズム処理をより便利にさせる。
【００１６】
好ましくは、前記電極手段が配列された行において、少なくとも２つの前記電極手段が連続的に配列され、残りの前記電極手段が前記開口と交互に配列される。
【００１７】
好ましくは、前記方向において、前記第１電極層の少なくとも１つの電極手段の投影は、前記第２電極層の対応する数の電極手段の投影と重なっている。
【００１８】
好ましくは、前記表示層は、前記第１電極層と前記第２電極層との間に配置された有機発光層をさらに含む。
【００１９】
本開示の実施例に係る表示装置により、表示層の所定領域の光透過率を向上させる効果を実現することができる。
【図面の簡単な説明】
【００２０】
【図１】本開示の実施例に係る表示装置の縦断面構造を示す図である。
【図２】本開示の実施例１における第１電極層及び第２電極層の構造を示す図である。
【図３】本開示の実施例２における第１電極層及び第２電極層の構造を示す図である。
【図４】本開示の実施例３における第１電極層及び第２電極層の構造を示す図である。
【図５】本開示の実施例４における第１電極層及び第２電極層の構造を示す図である。
【図６】本開示の実施例５に係る表示装置の縦断面構造を示す図である。図面符号：Ｉ−第１表示領域、ＩＩ−第２表示領域、１０−第１電極層、２０−有機発光層、３０−第２電極層、４０−表示手段、４１−第１電極手段、  ４２−第２電極手段、４３−開口、５０−駆動層、５１−第３手段、５２−第４手段。
【発明を実施するための形態】
【００２１】
図１に示すように、本開示の実施例に係る表示装置は、表示装置の所在平面に垂直な方向に積層された表示層と、駆動層５０とを含む。表示層は、同一平面にアレイ配列された複数の表示手段４０を含み、駆動手段５０は、同一平面にアレイ配列された複数の駆動手段（例えば、ＴＦＴ）を含み、各表示手段は駆動手段と一対一に対応して配置される。
【００２２】
この表示層は、積層配置された第１電極層１０と、有機発光層２０と、第２電極層３０とを含む。ここでは、第１電極層１０は、複数の第１電極手段４１を含み、第２電極層３０は、複数の第２電極手段４２を含む。本開示の目的を明確に説明するため、下記の説明において、第１電極層１０及び第２電極層３０が４（行数）×４（列数）の電極手段からなる電極層を例として詳細に説明し、また、第１電極層１０及び第２電極層３０は、いずれも金属又は金属酸化物（例えば、ＩＴＯ）などのような導電性材料からなる電極層であるが、本開示の保護の範囲は、これに限定されるものではなく、第１電極層１０及び第２電極層３０における電極手段の数は、実際の状況に応じて具体的に配置することができ、即ち、第１電極層１０及び第２電極層３０における電極手段の行数と列数が等しくてもよいし、又は不等であってもよく、さらに第１電極層１０及び第２電極層２０を構成する材料は、同じであってもよいし、異なっていてもよい。有機発光層２０は、第１電極層１０上に配置された画素定義層（Ｐｉｘｅｌ  Ｄｅｆｉｎｅ  Ｌａｙｅｒ）によって複数の有機発光手段に分割され、有機発光手段は、第１電極層１０及び第２電極層３０中の対応する電極手段と独立に発光する表示手段４０を形成する。
【００２３】
また、図１に示すように、表示層は、第１表示領域Ｉと第２表示領域IIに分割され、本開示における下記の説明において、第１表示領域Ｉは指紋認識領域であり、第２表示領域IIは当該表示装置の表示領域である。しかしながら、本開示の保護の範囲は、これに限定されるものではなく、本開示の技術案（第１表示領域Ｉ及び第２表示領域IIを含む）を利用して本開示の目的を実現する手段は、いずれも本開示の保護範囲に属する。
【００２４】
本開示の実施例において、図１に示すように、表示手段４０は、第１手段と第２手段とを含む。下記の説明において、第１手段は、完全な有機発光ダイオード手段であり、且つ積層配置された第１電極手段４１、有機発光手段及び第２電極手段４２を含み、第２手段は、非完全な有機発光ダイオード手段であり、且つ有機発光手段、又は第１電極手段４１及び第２電極手段４２のうちのいずれか一つを含み、即ち、第２手段は、第１電極層１０及び／又は第２電極層３０に形成された開口に対応する領域に位置される。
【００２５】
従って、本開示における「表示手段」は、この手段が必ずしも表示機能を有するとは限らず、この手段は表示層の１つのモジュール又はユニットであることを示すものとする。第１電極手段４１及び第２電極手段４２は、いずれも独立の同一形状の四角形であり、第１電極層１０（第２電極層３０）は、開口４３が形成された連続膜層であり、また、同じ層によって形成された同一形状の離間された（即ち、非連続）第１電極手段４１（第２電極手段４２）から構成することも可能である。第１手段は同一形状の多角形であり、第２手段は同一形状の多角形であり、光透過領域が規則的に均一に分布すること、即ち、光透過領域から射出された光線が均一に分布することを確保し、これにより、後続の指紋認識アルゴリズムの処理ステップを簡略化することだけでなく、表示装置をより高い表示明瞭度を有することを可能にさせる。
【００２６】
第１表示領域Ｉが指紋認識領域であり、第２表示領域IIが正常表示領域である場合、第１表示領域Ｉは第１手段と第２手段を含み、第２表示領域IIは第１手段のみを含む。これにより、指紋認識領域の光透過率を向上するとともに、表示装置における第２表示領域IIの光透過率に影響を与えないようにすることができる。しかしながら、本開示の保護範囲は、これに限定されるものではなく、第２表示領域IIは、第１手段と第２手段の両方を含むことができる。
【００２７】
図１に示すように、駆動層５０の駆動手段は、駆動回路を含む第３手段５１と、駆動回路を含まない第４手段５２とを備える。従って、本開示における「すべての駆動手段は、各表示手段を駆動するための駆動回路を含むとは限らない」、又は、「すべての駆動手段は、駆動回路を含むとは限らない」とは、一部の駆動手段が駆動回路を含み、一部の駆動手段が駆動回路を含まないことを指している。本開示における「駆動手段」は、この手段が必ずしも駆動機能を有するとは限らず、この手段は駆動層の１つのモジュール又はユニットであることを示すものとする。
【００２８】
また、下記に説明する本開示の異なる実施形態に係る技術的特徴は、互いに矛盾しない限り、互いに組合せることが可能である。
【実施例１】
【００２９】
金属電極が一定の遮光性を有するため、第１表示領域Ｉの表示層において、表示手段４０の第１電極層１０に対応する領域及び／又は第２電極層３０に対応する領域に位置する電極手段を除去することによって、即ち、第２手段を形成することによって、光透過領域を形成することができる。同時に、表示層の電極手段が部分的に除去された第１電極層１０と第２電極層３０は、表示装置（表示手段）の所在平面に垂直な方向（図中の上下方向、以下は「平面に垂直な方向」と略称する）に、まだ完全に重なっている部分を有し、即ち、第１表示領域Ｉ内には、まだ完全な有機発光ダイオード構造を有する第１手段が含まれている。第１表示領域Ｉが指紋認識領域である場合、指紋を認識するための光線は光透過領域から射出することができ、認識の感度が高い。また、第１表示領域Ｉには、完全な有機発光ダイオード構造を有する第１手段が含まれているため、第１表示領域Ｉの表示機能に影響を与えることはない。
【００３０】
本開示の１つの実施例として、第１表示領域Ｉを示す図２に示すように、第１電極層１０と第２電極層３０はそれぞれ４行と４列の電極手段を含む。図中の１、２、３、４は、それぞれ第１電極層１０と第２電極層３０のｙ方向に配列された電極手段の行を示しており、Ａ、Ｂ、Ｃ、Ｄは、それぞれ第１電極層１０と第２電極層３０のｘ方向に配列された電極手段の列を示している。ここでは、図２の（ａ）と図２の（ｂ）は、それぞれ第１電極層１０と第２電極層３０の構成を示す図である、第１電極層１０と第２電極層３０の電極手段の分割態様は同じである。例えば、図２の（ａ）における第１行第Ａ列の電極手段１をＡ１で表示すると、それに対応して、図２の（ａ）のＡ１領域は、図２の（ｂ）においても同様にＡ１で表示する。
【００３１】
図２に示すように、ｘ方向において、第１電極層１０の第２行と第４行は第１電極手段４１からなり、第２電極層３０の第２行と第４行は第２電極手段４２からなり、残りの領域はいずれも開口４３である。
【００３２】
４つの連続配列された開口４３を使用して第１手段の行を構成し、４つの連続配列された第１電極手段４１／第２電極手段４２を使用して第２手段の行を構成し、さらに第１手段の行と第２手段の行を交互に配列させることによって、４×４の電極手段からなる第１電極層１０及び第２電極層３０を形成する。即ち、指紋認識領域Ｉにおいて、第１電極層１０及び第２電極層３０の対応する位置の電極手段を規則的に、１行おきに除去することによって、第１表示領域Ｉの光透過率を向上させる目的が実現され、これにより指紋モジュールの認識感度を向上させる。
【００３３】
第１表示領域Ｉにおいて、図１に示すように、第１手段に対応する駆動手段は第３手段５１であり、第２手段に対応する駆動手段は第４手段５２である。第３手段５１は、駆動回路を含み、第４手段５２は駆動回路を含まない。駆動層５０中の第２手段（完全な有機発光ダイオード構造を有さない）に対応する駆動回路を除去することによって、光線が光透過領域から妨げずに射出するのを確保でき、認識感度が高い。
【００３４】
本実施例の一つの代替可能な実施形態として、第１手段の行数と第２手段の行数は、これに限定されることがなく、即ち、具体的な数は、表示装置の実際の寸法及び表示明瞭度の要求に応じて設定することができる。
【００３５】
本実施例の代替実施形態として、第１電極手段４１、第２電極手段４２の形状は、これに限定されることがなく、任意の多角形にすることができる。製造工程を簡略化するため、第２電極層３０は、開口４３が形成された連続膜層であってもよく、また、同じ層によって形成された同一形状の独立の第２電極手段４２を構成することもできる。
【００３６】
本開示の代替可能な実施形態として、第一表示領域Ｉにおいて、第１手段４１に対応する駆動手段の一部は第３手段５１であり、一部は第２手段５２であり、第１表示領域Ｉには正常に発光できる表示装置を有することを確保すればよい。
【実施例２】
【００３７】
本実施例に係る表示装置は、第１表示領域Ｉを示す図３に示すように、図３の（ａ）の第２行及び第４行の第１電極手段４１と、図３の（ｂ）の第２行及び第４行の第２電極手段４２とは、いずれも完全な有機発光ダイオード構造を有しており、これに対して、第１行及び第３行のうちの一方のみが電極手段を有するため、発光することができなく、且つ一定の光透過率を持ち、第１表示領域Ｉ全体の光透過率を向上させる効果を達成することができる。
【００３８】
本開示の１つの実施例として、本実施例において、各表示手段４０に対応する駆動手段は、全て第３手段５１である。本開示の代替可能な実施形態として、第２手段に対応する駆動手段は、第４手段５２であってもよく、これにより第１表示領域Ｉの全体の光透過率をさらに向上させることができる。
【実施例３】
【００３９】
本実施例に係る表示装置は、第１表示領域Ｉを示す図４に示すように、ｘ方向及びｙ方向において、第１電極層１０における第１電極手段４１と開口４３が交互に配列され、第２電極層３０における第２電極手段４２と開口４３が交互に配列される。
【００４０】
第１電極手段４１／第２電極手段４２と開口４３とを規則的に交互に配列させることによって、４×４の電極手段からなる第１電極層１０及び第２電極層３０を形成する。即ち、第１表示領域Ｉにおいて、１つの電極手段おきに第１電極層１０及び第２電極層３０の対応位置にある電極手段を除去することによって、即ち表示層中の電極手段が除去された第１電極層１０と第２電極層３０とが平面に垂直な方向の投影は完全に重なっており、第１表示領域Ｉの全体の光透過率を向上させた。同時に、この表示装置は、全体の光透過が比較的に均一であり、後続の指紋認識アルゴリズムの処理ステップを簡素化することができるだけでなく、さらに独立に発光する表示手段４０を均一に分布させることができ、より高い表示明瞭度を有する。
【００４１】
本開示の１つの実施例として、本実施例において、各表示手段４０に対応する駆動手段は、全て第３手段５１である。
【実施例４】
【００４２】
本実施例に係る表示装置は、第１表示領域Ｉを示す図５に示すように、第１電極層１０における第１電極手段４１と開口４３が交互に配列され、即ち１つの電極手段おきに電極手段を除去することによって第１電極層１０を形成し、第２電極層３０における一部の第２電極手段４２と開口４３が間隔に配列され、一部の第２電極手段４２又は開口４３が連続に配列される。例えば、図５の（ｂ）に示すように、第二電極層３０における第２電極手段Ｃ４とＤ４が連続に配列され、残りの第２電極手段４２と開口４３が間隔に配列される。電極手段が除去された表示層の第１電極層１０と第２電極層３０は、平面に垂直な方向の投影が重なる部分を有することを確保すれば、第１表示領域Ｉの全体の光透過率を向上させる効果を達成することができる。
【００４３】
本開示の１つの実施例として、本実施例において、各表示手段４０に対応する駆動手段は、全て第３手段５１である。
【実施例５】
【００４４】
本実施例に係る表示装置は、図６に示すように、第１表示領域Ｉ及び第２表示領域IIには、第１電極層１０及び第２電極層３０が重なっており、各表示手段４０は、いずれも完全な有機発光ダイオード構造を有している。
【００４５】
駆動層５０の第１表示領域Ｉに対応する駆動手段は、交互に配置された第３手段５１と第４手段５２である。駆動手段の金属部材（ガイドワイヤ、ソース／ドレイン電極、ゲート、コンデンサプレートなど）は、一定の遮光性を有するため、駆動層５０の一部の駆動手段が駆動回路を含まない第４手段５２に設定されることによって、表示装置に光透過領域を形成することができる。第１表示領域Ｉが指紋認識領域である場合、指紋を認識するための光線は当該光透過領域から容易に射出され、認識の感度が高い。
【００４６】
本実施例の一つの代替可能な実施形態として、駆動層５０の駆動手段の種類は限定されず、駆動層５０の少なくとも１つの駆動手段が第４手段５２であることを確保することによって光透過領域を形成すればよい。
【００４７】
上述した実施形態は、実施例を詳細に説明するためのものに過ぎず、実施形態を限定するものではない。当業者にとって、上記の説明に基づいて、他の異なる形態の変更又は変化を行うことができる。ここでは、すべての実施形態を網羅する必要がない。それによって生じる明らかな変更又は変化は、依然として本開示の保護範囲内に属するものとなる。
【図１】
2020521999.tif 000003
【図２】
2020521999.tif 000004
【図３】
2020521999.tif 000005
【図４】
2020521999.tif 000006
【図５】
2020521999.tif 000007
【図６】
2020521999.tif 000008
【手続補正書】
【提出日】令和1年11月15日(2019.11.15)
【手続補正１】
【補正対象書類名】明細書
【補正対象項目名】全文
【補正方法】変更
【補正の内容】
【発明の詳細な説明】
【技術分野】
【０００１】
本開示は、表示技術の分野に関し、特に表示装置に関するものである。
【背景技術】
【０００２】
有機発光ダイオード（Ｏｒｇａｎｉｃ  Ｌｉｇｈｔ  Ｅｍｉｔｔｉｎｇ  Ｄｉｏｄｅ、略称はＯＬＥＤであり）装置は、自発光、低駆動電圧、高発光効率、短い応答時間、高明瞭度と高いコントラスト、広視野角及びフレキシブル表示と大面積フルカラー表示を実現できる多くの利点を有し、最も有望な表示技術として業界で認められている。
【０００３】
アクティブマトリクス式ＯＬＥＤ（英語名はＡｃｔｉｖｅ  Ｍａｔｒｉｘ  ＯＬＥＤ、略称はＡＭＯＬＥＤであり）は、ＯＬＥＤの輝度および階調表現を制御するように、薄膜トランジスタとコンデンサとの組合せを利用して信号を保存する。各単独のＯＬＥＤは、対応する薄膜トランジスタに電気接続され、画素マトリクスを形成する。薄膜トランジスタによって形成されたアレイ回路は、画素の発光状況を決定し、ひいては画像の構成を決定する。ＡＭＯＬＥＤは、大型化、省電力化、高解像度、パネル長寿命などの利点を有し、通常は高明瞭度の大型表示装置として用いられている。
【０００４】
現在、情報産業の発展に伴い、電子製品は既に知的時代に入っている。指紋パターンが一意性を有することによって、電子製品の安全性及び利便性を向上させるため、多くの電子製品には、装置の安全性を強化するように、指紋認識モジュールが配備されている。
【０００５】
しかしながら、従来技術のフルハイビジョン以上の高ＰＰＩ  ＡＭＯＬＥＤスクリーンは、画素密度が高く、且つ画素手段の透明孔の有効面積が小さいため、スクリーン全体の光透過率が不十分であり、ひいては光学スクリーンでの指紋認識感度が低い問題が生じる。
【発明の概要】
【発明が解決しようとする課題】
【０００６】
本開示が解決しようとする技術的課題は、表示装置の指紋モジュールの光透過率が低いという欠点を克服することである。
【０００７】
これに鑑み、本開示は、表示装置を提供し、前記表示装置は、指紋認識領域としての第１表示領域と、表示領域としての第２表示領域とに分割され、前記表示装置は、前記表示装置の所在表面に垂直な方向に積層された表示層と駆動層とを備え、前記表示層は、前記方向に積層された第１電極層と第２電極層とを含み、前記駆動層は、複数の駆動手段を含み、
前記第１表示領域において、第１電極層における第１表示領域に対応する部分が当該方向においての投影と、第２電極層における第１表示領域に対応する部分が当該方向においての投影とは、完全には重なっていない。
【０００８】
表示層の所定領域内の表示手段における第１電極層に対応する部分及び／又は第２電極層に対応する部分の電極を部分的に除去することにより、及び／又は所定領域内の一部の駆動手段における駆動回路を省略することにより、表示層の所定領域の光透過率を向上させる効果を実現することができる。
【０００９】
好ましくは、前記第１表示領域において、前記第１電極層及び前記第２電極層の少なくとも１つは、複数の開口を有する。
【００１０】
好ましくは、前記第１表示領域において、前記第１電極層及び前記第２電極層は、複数の電極手段を含む。
【００１１】
好ましくは、前記開口が行として配列され、前記電極手段が行として配列され、前記開口が配列された行と前記電極手段が配列された行とが交互に配列される。
【００１２】
表示装置の第１表示領域の第１電極層及び／又は第２電極層を１行おきに除去することにより、第１表示領域が指紋認識領域である場合、指紋認識領域の光透過率を向上する目的が実現され、これにより指紋モジュールの認識率を向上させる。
【００１３】
好ましくは、前記開口が行として配列され、前記電極手段が行として配列され、前記開口が配列された行数は、前記電極手段が配列された行数よりも少ない。
【００１４】
好ましくは、前記開口は前記電極手段と交互に配列される。
【００１５】
表示装置の第１表示領域の第１電極層及び／又は第２電極層を１つの電極手段おきに除去することにより、第１表示領域が指紋認識領域である場合、指紋認識領域の全体の光透過率を向上した；同時に、この表示装置の全体の光透過率は比較的に均一であるため、後続の指紋認識アルゴリズム処理をより便利にさせる。
【００１６】
好ましくは、少なくとも２つの前記電極手段が連続的に配列され、残りの前記電極手段が前記開口と交互に配列される。
【００１７】
好ましくは、前記方向において、前記第１電極層の少なくとも１つの電極手段の投影は、前記第２電極層の対応する数の電極手段の投影と重なっている。
【００１８】
好ましくは、前記表示層は、前記第１電極層と前記第２電極層との間に配置された有機発光層をさらに含む。
【００１９】
本開示の実施例に係る表示装置により、表示層の所定領域の光透過率を向上させる効果を実現することができる。
【図面の簡単な説明】
【００２０】
【図１】本開示の実施例に係る表示装置の縦断面構造を示す図である。
【図２】本開示の実施例１における第１電極層及び第２電極層の構造を示す図である。
【図３】本開示の実施例２における第１電極層及び第２電極層の構造を示す図である。
【図４】本開示の実施例３における第１電極層及び第２電極層の構造を示す図である。
【図５】本開示の実施例４における第１電極層及び第２電極層の構造を示す図である。
【図６】本開示の実施例５に係る表示装置の縦断面構造を示す図である。図面符号：Ｉ−第１表示領域、ＩＩ−第２表示領域、１０−第１電極層、２０−有機発光層、３０−第２電極層、４０−表示手段、４１−第１電極手段、  ４２−第２電極手段、４３−開口、５０−駆動層、５１−第３手段、５２−第４手段。
【発明を実施するための形態】
【００２１】
図１に示すように、本開示の実施例に係る表示装置は、表示装置の所在平面に垂直な方向に積層された表示層と、駆動層５０とを含む。表示層は、同一平面にアレイ配列された複数の表示手段４０を含み、駆動手段５０は、同一平面にアレイ配列された複数の駆動手段（例えば、ＴＦＴ）を含み、各表示手段は駆動手段と一対一に対応して配置される。
【００２２】
この表示層は、積層配置された第１電極層１０と、有機発光層２０と、第２電極層３０とを含む。ここでは、第１電極層１０は、複数の第１電極手段４１を含み、第２電極層３０は、複数の第２電極手段４２を含む。本開示の目的を明確に説明するため、下記の説明において、第１電極層１０及び第２電極層３０が４（行数）×４（列数）の電極手段からなる電極層を例として詳細に説明し、また、第１電極層１０及び第２電極層３０は、いずれも金属又は金属酸化物（例えば、ＩＴＯ）などのような導電性材料からなる電極層であるが、本開示の保護の範囲は、これに限定されるものではなく、第１電極層１０及び第２電極層３０における電極手段の数は、実際の状況に応じて具体的に配置することができ、即ち、第１電極層１０及び第２電極層３０における電極手段の行数と列数が等しくてもよいし、又は不等であってもよく、さらに第１電極層１０及び第２電極層３０を構成する材料は、同じであってもよいし、異なっていてもよい。有機発光層２０は、第２電極層３０上に配置された画素定義層（Ｐｉｘｅｌ  Ｄｅｆｉｎｅ  Ｌａｙｅｒ）によって複数の有機発光手段に分割され、有機発光手段は、第１電極層１０及び第２電極層３０中の対応する電極手段と独立に発光する表示手段４０を形成する。
【００２３】
また、図１に示すように、表示層は、第１表示領域Ｉと第２表示領域IIに分割され、本開示における下記の説明において、第１表示領域Ｉは指紋認識領域であり、第２表示領域IIは当該表示装置の表示領域である。しかしながら、本開示の保護の範囲は、これに限定されるものではなく、本開示の技術案（第１表示領域Ｉ及び第２表示領域IIを含む）を利用して本開示の目的を実現する手段は、いずれも本開示の保護範囲に属する。
【００２４】
本開示の実施例において、図１に示すように、表示手段４０は、第１手段と第２手段とを含む。下記の説明において、第１手段は、完全な有機発光ダイオード手段であり、且つ積層配置された第１電極手段４１、有機発光手段及び第２電極手段４２を含み、第２手段は、非完全な有機発光ダイオード手段であり、且つ有機発光手段、又は第１電極手段４１及び第２電極手段４２のうちのいずれか一つを含み、即ち、第２手段は、第１電極層１０及び／又は第２電極層３０に形成された開口に対応する領域に位置される。
【００２５】
従って、本開示における「表示手段」は、この手段が必ずしも表示機能を有するとは限らず、この手段は表示層の１つのモジュール又はユニットであることを示すものとする。第１電極手段４１及び第２電極手段４２は、いずれも独立の同一形状の四角形であり、第１電極層１０（第２電極層３０）は、開口４３が形成された連続膜層であり、また、同じ層によって形成された同一形状の離間された（即ち、非連続）第１電極手段４１（第２電極手段４２）から構成することも可能である。第１手段は同一形状の多角形であり、第２手段は同一形状の多角形であり、光透過領域が規則的に均一に分布すること、即ち、光透過領域から射出された光線が均一に分布することを確保し、これにより、後続の指紋認識アルゴリズムの処理ステップを簡略化することだけでなく、表示装置をより高い表示明瞭度を有することを可能にさせる。
【００２６】
第１表示領域Ｉが指紋認識領域であり、第２表示領域IIが正常表示領域である場合、第１表示領域Ｉは第１手段と第２手段を含み、第２表示領域IIは第１手段のみを含む。これにより、指紋認識領域の光透過率を向上するとともに、表示装置における第２表示領域IIの光透過率に影響を与えないようにすることができる。しかしながら、本開示の保護範囲は、これに限定されるものではなく、第２表示領域IIは、第１手段と第２手段の両方を含むことができる。
【００２７】
図１に示すように、駆動層５０の駆動手段は、駆動回路を含む第３手段５１と、駆動回路を含まない第４手段５２とを備える。従って、本開示における「すべての駆動手段は、各表示手段を駆動するための駆動回路を含むとは限らない」、又は、「すべての駆動手段は、駆動回路を含むとは限らない」とは、一部の駆動手段が駆動回路を含み、一部の駆動手段が駆動回路を含まないことを指している。本開示における「駆動手段」は、この手段が必ずしも駆動機能を有するとは限らず、この手段は駆動層の１つのモジュール又はユニットであることを示すものとする。
【００２８】
また、下記に説明する本開示の異なる実施形態に係る技術的特徴は、互いに矛盾しない限り、互いに組合せることが可能である。
【実施例１】
【００２９】
金属電極が一定の遮光性を有するため、第１表示領域Ｉの表示層において、表示手段４０の第１電極層１０に対応する領域及び／又は第２電極層３０に対応する領域に位置する電極手段を除去することによって、即ち、第２手段を形成することによって、光透過領域を形成することができる。同時に、表示層の電極手段が部分的に除去された第１電極層１０と第２電極層３０は、表示装置（表示手段）の所在平面に垂直な方向（図中の上下方向、以下は「平面に垂直な方向」と略称する）に、まだ完全に重なっている部分を有し、即ち、第１表示領域Ｉ内には、まだ完全な有機発光ダイオード構造を有する第１手段が含まれている。第１表示領域Ｉが指紋認識領域である場合、指紋を認識するための光線は光透過領域から射出することができ、認識の感度が高い。また、第１表示領域Ｉには、完全な有機発光ダイオード構造を有する第１手段が含まれているため、第１表示領域Ｉの表示機能に影響を与えることはない。
【００３０】
本開示の１つの実施例として、第１表示領域Ｉを示す図２に示すように、第１電極層１０と第２電極層３０はそれぞれ４行と４列の電極手段を含む。図中の１、２、３、４は、それぞれ第１電極層１０と第２電極層３０のｙ方向に配列された電極手段の行を示しており、Ａ、Ｂ、Ｃ、Ｄは、それぞれ第１電極層１０と第２電極層３０のｘ方向に配列された電極手段の列を示している。ここでは、図２の（ａ）と図２の（ｂ）は、それぞれ第１電極層１０と第２電極層３０の構成を示す図である、第１電極層１０と第２電極層３０の電極手段の分割態様は同じである。例えば、図２の（ａ）における第１行第Ａ列の電極手段１をＡ１で表示すると、それに対応して、図２の（ａ）のＡ１領域は、図２の（ｂ）においても同様にＡ１で表示する。
【００３１】
図２に示すように、ｘ方向において、第１電極層１０の第２行と第４行は第１電極手段４１からなり、第２電極層３０の第２行と第４行は第２電極手段４２からなり、残りの領域はいずれも開口４３である。
【００３２】
４つの連続配列された開口４３を使用して第１手段の行を構成し、４つの連続配列された第１電極手段４１／第２電極手段４２を使用して第２手段の行を構成し、さらに第１手段の行と第２手段の行を交互に配列させることによって、４×４の電極手段からなる第１電極層１０及び第２電極層３０を形成する。即ち、指紋認識領域Ｉにおいて、第１電極層１０及び第２電極層３０の対応する位置の電極手段を規則的に、１行おきに除去することによって、第１表示領域Ｉの光透過率を向上させる目的が実現され、これにより指紋モジュールの認識感度を向上させる。
【００３３】
第１表示領域Ｉにおいて、図１に示すように、第１手段に対応する駆動手段は第３手段５１であり、第２手段に対応する駆動手段は第４手段５２である。第３手段５１は、駆動回路を含み、第４手段５２は駆動回路を含まない。駆動層５０中の第２手段（完全な有機発光ダイオード構造を有さない）に対応する駆動回路を除去することによって、光線が光透過領域から妨げずに射出するのを確保でき、認識感度が高い。
【００３４】
本実施例の一つの代替可能な実施形態として、第１手段の行数と第２手段の行数は、これに限定されることがなく、即ち、具体的な数は、表示装置の実際の寸法及び表示明瞭度の要求に応じて設定することができる。
【００３５】
本実施例の代替実施形態として、第１電極手段４１、第２電極手段４２の形状は、これに限定されることがなく、任意の多角形にすることができる。製造工程を簡略化するため、第２電極層３０は、開口４３が形成された連続膜層であってもよく、また、同じ層によって形成された同一形状の独立の第２電極手段４２を構成することもできる。
【００３６】
本開示の代替可能な実施形態として、第一表示領域Ｉにおいて、第１手段４１に対応する駆動手段の一部は第３手段５１であり、一部は第２手段５２であり、第１表示領域Ｉには正常に発光できる表示装置を有することを確保すればよい。
【実施例２】
【００３７】
本実施例に係る表示装置は、第１表示領域Ｉを示す図３に示すように、図３の（ａ）の第２行の第１電極手段４１と、図３の（ｂ）の第２行の第２電極手段４２とは、有機発光手段と共に完全な有機発光ダイオード構造を形成しており、図３の（ａ）の第４行の第１電極手段４１と、図３の（ｂ）の第４行の第２電極手段４２とは、有機発光手段と共に完全な有機発光ダイオード構造を形成しており、図３の（ａ）の第１行及び図３の（ｂ）の第１行のうちの一方のみが電極手段を有しており、図３の（ａ）の第３行及び図３の（ｂ）の第３行のうちの一方のみが電極手段を有するため、図３の（ａ）の第１行及び図３の（ｂ）の第１行は、完全な有機発光ダイオード構造を形成することができず、それによって、発光することができなく、図３の（ａ）の第３行及び図３の（ｂ）の第３行も、完全な有機発光ダイオード構造を形成することができず、それによって、発光することができなく、第１表示領域が一定の光透過率を持ち、第１表示領域Ｉ全体の光透過率を向上させる効果を達成することができ、したがって、発光することができない。しかし、第１表示領域が一定の光透過率を持ち、第１表示領域Ｉ全体の光透過率を向上させる効果を達成することができる。
【００３８】
本開示の１つの実施例として、本実施例において、各表示手段４０に対応する駆動手段は、全て第３手段５１である。本開示の代替可能な実施形態として、第２手段に対応する駆動手段は、第４手段５２であってもよく、これにより第１表示領域Ｉの全体の光透過率をさらに向上させることができる。
【実施例３】
【００３９】
本実施例に係る表示装置は、第１表示領域Ｉを示す図４に示すように、ｘ方向及びｙ方向において、第１電極層１０における第１電極手段４１と開口４３が交互に配列され、第２電極層３０における第２電極手段４２と開口４３が交互に配列される。
【００４０】
第１電極手段４１／第２電極手段４２と開口４３とを規則的に交互に配列させることによって、４×４の電極手段からなる第１電極層１０及び第２電極層３０を形成する。即ち、第１表示領域Ｉにおいて、１つの電極手段おきに第１電極層１０及び第２電極層３０の対応位置にある電極手段を除去することによって、即ち表示層中の電極手段が除去された第１電極層１０と第２電極層３０とが平面に垂直な方向の投影は完全に重なっており、第１表示領域Ｉの全体の光透過率を向上させた。同時に、この表示装置は、全体の光透過が比較的に均一であり、後続の指紋認識アルゴリズムの処理ステップを簡素化することができるだけでなく、さらに独立に発光する表示手段４０を均一に分布させることができ、より高い表示明瞭度を有する。
【００４１】
本開示の１つの実施例として、本実施例において、各表示手段４０に対応する駆動手段は、全て第３手段５１である。本実施例の代替実施形態として、第２手段に対応する駆動手段は、全て第４手段５２であってもよく、それによって、さらに第１表示領域Ｉの全体の光透過率を向上させることができる。
【実施例４】
【００４２】
本実施例に係る表示装置は、第１表示領域Ｉを示す図５に示すように、第１電極層１０における第１電極手段４１と開口４３が交互に配列され、即ち１つの電極手段おきに電極手段を除去することによって第１電極層１０を形成し、第２電極層３０における一部の第２電極手段４２と開口４３が間隔に配列され、一部の第２電極手段４２又は開口４３が連続に配列される。例えば、図５の（ｂ）に示すように、第二電極層３０における第２電極手段Ｃ４とＤ４が連続に配列され、残りの第２電極手段４２と開口４３が間隔に配列される。電極手段が除去された表示層の第１電極層１０と第２電極層３０は、平面に垂直な方向の投影が重なる部分を有することを確保すれば、第１表示領域Ｉの全体の光透過率を向上させる効果を達成することができる。
【００４３】
本開示の１つの実施例として、本実施例において、各表示手段４０に対応する駆動手段は、全て第３手段５１である。本実施例の代替実施形態として、第２手段に対応する駆動手段は、全て第４手段５２であってもよく、それによって、さらに第１表示領域Ｉの全体の光透過率を向上させることができる。
【実施例５】
【００４４】
本実施例に係る表示装置は、図６に示すように、第１表示領域Ｉ及び第２表示領域IIには、第１電極層１０及び第２電極層３０が重なっており、各表示手段４０は、いずれも完全な有機発光ダイオード構造を有している。
【００４５】
駆動層５０の第１表示領域Ｉに対応する駆動手段は、交互に配置された第３手段５１と第４手段５２である。駆動手段の金属部材（ガイドワイヤ、ソース／ドレイン電極、ゲート、コンデンサプレートなど）は、一定の遮光性を有するため、駆動層５０の一部の駆動手段が駆動回路を含まない第４手段５２に設定されることによって、表示装置に光透過領域を形成することができる。第１表示領域Ｉが指紋認識領域である場合、指紋を認識するための光線は当該光透過領域から容易に射出され、認識の感度が高い。
【００４６】
本実施例の一つの代替可能な実施形態として、駆動層５０の駆動手段の種類は限定されず、駆動層５０の少なくとも１つの駆動手段が第４手段５２であることを確保することによって光透過領域を形成すればよい。
【００４７】
上述した実施形態は、実施例を詳細に説明するためのものに過ぎず、実施形態を限定するものではない。当業者にとって、上記の説明に基づいて、他の異なる形態の変更又は変化を行うことができる。ここでは、すべての実施形態を網羅する必要がない。それによって生じる明らかな変更又は変化は、依然として本開示の保護範囲内に属するものとなる。
【手続補正２】
【補正対象書類名】特許請求の範囲
【補正対象項目名】全文
【補正方法】変更
【補正の内容】
【特許請求の範囲】
【請求項１】
指紋認識領域としての第１表示領域と表示領域としての第２表示領域とに分割される表示装置であって、前記表示装置は、前記表示装置の所在表面に垂直な方向に積層された表示層と駆動層とを備え、前記表示層は前記方向に積層配置された第１電極層と第２電極層とを含み、前記駆動層は、複数の駆動手段を含み、
前記第１表示領域において、前記第１電極層における前記第１表示領域に対応する部分が前記方向においての投影と、前記第２電極層における前記第１表示領域に対応する部分が前記方向においての投影とは、完全には重なっていない、ことを特徴とする表示装置。
【請求項２】
前記第１表示領域において、前記第１電極層及び前記第２電極層の少なくとも一方は、複数の開口を有する、ことを特徴とする請求項１に記載の表示装置。
【請求項３】
前記第１表示領域において、前記第１電極層及び前記第２電極層は、複数の電極手段を含む、ことを特徴とする請求項２に記載の表示装置。
【請求項４】
前記開口が行として配列され、前記電極手段が行として配列され、  前記開口が配列された行と前記電極手段が配列された行とは交互に配列される、ことを特徴とする請求項３に記載の表示装置。
【請求項５】
前記開口が行として配列され、前記電極手段が行として配列され、前記開口が配列された行数は、前記電極手段が配列された行数よりも少ない、ことを特徴とする請求項３に記載の表示装置。
【請求項６】
前記開口と前記電極手段とは交互に配列される、ことを特徴とする請求項３に記載の表示装置。
【請求項７】
少なくとも２つの前記電極手段は連続配列され、残りの前記電極手段は前記開口と交互に配列される、ことを特徴とする請求項６に記載の表示装置。
【請求項８】
前記方向において、前記第１電極層の少なくとも１つの電極手段の投影は、前記第２電極層の対応する数の電極手段の投影と重なっている、ことを特徴とする請求項３−７のいずれか一つに記載の表示装置。
【請求項９】
前記表示層は、前記第１電極層と前記第２電極層との間に配置された有機発光層をさらに備える、ことを特徴とする請求項１に記載の表示装置。
【国際調査報告】
2020521999.tif 000009
2020521999.tif 000010
2020521999.tif 000011
2020521999.tif 000012